(57)【特許請求の範囲】
【請求項１】
スライド部材（１１０）と、
ユーザの腕を支持するよう構成された支持部材（１３０）であって、垂直方向に延在する旋回要素（１３４）を介して前記スライド部材（１１０）にスライド可能に連結された、支持部材（１３０）と、
楽器の鍵盤（１９２）に対し並列位置にある前記スライド部材を支持するための支持手段と、
を具える鍵盤練習装置（１００）であって、
前記支持部材（１３０）は、前記旋回要素（１３４）によって、垂直軸線の周りを旋回可能にされており、
前記支持部材を前記スライド部材の全長の一部に沿ってスライドさせることにより、前腕を前記支持部材上に載置した状態で座っている鍵盤楽器（１９０）の演奏者に、鍵盤の全長に沿って前腕を移動させることを可能にするよう作動可能であり、
前記ユーザの前腕が移動される間、該前腕が鍵盤の前縁から一定の距離に維持されるように構成された、鍵盤練習装置。
【請求項２】
前記支持部材が前記スライド部材に沿って鍵盤に対して一定の垂直高さで相互にスライド可能となるよう構成された、請求項１に記載の装置。
【請求項３】
前記支持部材が前記スライド部材に取り外し可能に取り付けられており、前記支持部材は迅速解除機構によって前記スライド部材に取り外し可能に取り付けられている、請求項１又は２に記載の装置。
【請求項４】
前記支持部材は前記スライド部材に沿ってスライド可能な搬送部材（１３２）を介して前記スライド部材に取り付けられており、前記支持部材は迅速解除機構によって前記搬送部材に取り外し可能に取り付けられている、請求項１〜３のいずれか一項に記載の装置。
【請求項５】
前記スライド部材は少なくとも１個のトラック部材を具え、前記搬送部材は前記トラック部材に連結するよう構成されている、請求項４に記載の装置。
【請求項６】
前記支持手段は、前記装置が鍵盤楽器に取り付けられることを可能にするよう構成されており、これにより前記鍵盤と並列位置にある前記スライド部材を支持し、前記支持手段は前記装置が前記楽器に取り外し可能に取り付けられることを可能にするよう構成されている、請求項１〜５のいずれか一項に記載の装置。
【請求項７】
前記装置は、鍵盤楽器に立てかけるよう配置され、これにより直立方向に支持され、および／または、前記支持手段は自立式の前記装置を位置付け可能にするよう構成されている、請求項１〜６のいずれか一項に記載の装置。
【請求項８】
前記スライド部材の鍵盤からの側方距離は、ねじ機構によって、調整可能であり、および／または、
前記鍵盤に対する前記スライド部材の垂直高さは、ねじ機構によって、調整可能である、請求項６または７に記載の装置。
【請求項９】
前記支持部材は、前記ユーザの腕用の快適なレストを提供するよう構成されたＵ字型部材の形態であり、前記支持部材は、前記ユーザの腕の下または前記ユーザの腕の一方の側面もしくは両側面のいずれかより選択される少なくとも１箇所に配置されるよう構成されている少なくとも１個のパッド部を具える、請求項１〜８のいずれか一項に記載の装置。
【請求項１０】
複数の支持部材を具える、請求項１〜９のいずれか一項に記載の装置。
【請求項１１】
前記ユーザの対応する腕が前記支持部材（１３０）上に載置している際、前記ユーザの手を支持するよう構成されたハンドレスト部材（２００）をさらに具え、前記ハンドレスト部材は前記支持部材と接続しており、前記ハンドレスト部材は前記支持部材と取り外し可能に接続している、請求項１〜１０のいずれか一項に記載の装置。
【請求項１２】
前記ハンドレスト部材は、ブーム要素（２１０）であってその第１端において前記支持部材に接続しているブーム要素と、前記ブーム要素の第２端において前記支持部材と接続しているパッド部材であって、前記ユーザの手と接触することにより前記手を支持するよう構成されているパッド部材とを具え、前記パッド部材は、ユーザの掌を支持するよう成形かつ構成されており、および／または、前記支持部材に対する前記パッド部材の位置は、垂直面および／または水平面で調整可能である、請求項１１に記載の装置。
【請求項１３】
ユーザの手首が、前記スライド部材に沿う垂直面にて円または楕円並進運動を描くのを可能にするよう構成された回転装置をさらに具え、前記回転装置は、さらに前記支持部材を円形または楕円形並進運動の一周期にわたって直立方向に保持するよう構成されている、請求項１〜１２のいずれか一項に記載の装置。
【請求項１４】
前記回転装置は平行リンク機構を具え、前記平行リンク機構のうち少なくとも１個のリンクは回転可能なディスク要素の形態で提供されており、および／または、前記平行リンク機構の平行な一対のリンクは対応する一対の互いに離間した回転可能なディスク要素（２２０）によって提供されており、前記ディスク要素は互いに平行な軸線の回りを回転可能となるよう構成されている、請求項１３に記載の装置。
【請求項１５】
前記ディスク要素は前記搬送部材と回転可能に連結しており、前記ディスク要素は旋回部材（２４０）と回転可能に連結しており、前記旋回部材は前記搬送部材に対して、正常使用のために配向された前記装置の垂直軸線の回りを回転可能となるよう構成されている、請求項４に従属する場合の請求項１４に記載の装置。
【請求項１６】
前記支持部材にはストラップ部材（２３０）が設けられ、前記ストラップ部材は、ユーザの腕を前記支持部材に固定し、これにより前記ユーザの腕が前記支持部材から不用意に脱落することを防ぐよう構成されている、請求項１〜１５のいずれか一項に記載の装置。
【発明の詳細な説明】
【技術分野】
【０００１】
本発明は、鍵盤練習装置に関する。具体的には、本発明は、ユーザが演奏中に腕を的確な位置に配置するのを補助するための鍵盤練習装置に関するが、これに限定するものではない。
【背景技術】
【０００２】
鍵盤楽器の演奏技術を練習するにあたりユーザを補助するための鍵盤練習装置を設けることが知られている。
【０００３】
特開平７−０９２８９８号公報は、鍵盤楽器を演奏する際の演奏者の手首の正しい高さより下方に設けられた棒状の手首位置矯正装置を開示している。楽器の演奏中に演奏者の手首が棒に接触した場合、演奏者はその接触の感覚をもって、自らの手首の位置が下方に位置し過ぎであるという事実に気付く。
【０００４】
しかしながら、本装置は、ユーザの手首が望ましくない位置まで下降した際に不適当な手首位置の指摘のみを提供するという点で不都合を有する。さらに、本矯正具は、所定の高さまたはそれ以上の高さで、ユーザが腕または手首を的確に配置するのを補助しない。
【０００５】
国際公開第２００５／００４０８７号パンフレットは、キャリッジにスライド可能に取り付けられ、電気モーターによってキャリッジの長手方向に沿って移動可能な、一対の手袋の形態の音楽教育装置および方法を開示している。この装置は、楽曲の演奏のために的確な位置に演奏者の腕および手を左右および上下へと順次に移動させるよう構成されている。演奏者の指は楽曲の正確な音を鳴らすため軽く下方へ引張られる。
【０００６】
音を鳴らすために装置自体がユーザの手および指を鍵盤上の正確な位置に移動させるという点でこのような装置の使用は煩雑である。この装置は、正しく位置を合わせ、且つ音を鳴らすために、演奏者が装置に依存してしまうという不都合を有する。
【先行技術文献】
【特許文献】
【０００７】
【特許文献１】特開平７−０９２８９８号公報
【特許文献２】国際公開第２００５／００４０８７号パンフレット
【発明の概要】
【０００８】
本発明の第一の態様では、
スライド部材と、
ユーザの腕を支持するよう構成された支持部材であって、前記スライド部材にスライド可能に連結した支持部材と、
楽器の鍵盤に対し並列位置にある前記スライド部材を支持するための手段とを具え、
前記支持部材を前記スライド部材の全長の一部に沿ってスライドさせることにより、前腕を前記支持部材上に載置した状態で座っている鍵盤楽器の演奏者が、鍵盤の全長に沿って前腕を移動することを可能にするように動作可能な鍵盤練習装置を提供する。
【０００９】
好ましくは、前記装置は、前記ユーザの前腕が鍵盤の前縁から略一定の距離を維持するよう、前記支持部材を前記スライド部材に沿って実質的に直線の経路で相互にスライド可能となるよう構成可能である。
【００１０】
このように、本発明のいくつかの実施態様において、支持部材はユーザの腕を支持するよう構成されており、これにより支持部材に対する腕のスライド運動が実質的に阻止される。従って、支持部材にはユーザの腕と支持部材との間のスライド運動を阻止するよう構成された表面が設けられていてもよい。例えば、エラストマー材料、天然ゴム、布、革、プラスチック材料または他の任意の適切な材料などの、高摩擦表面である。
【００１１】
いくつかの実施態様において、装置はユーザの前腕が鍵盤の前縁の上部で略一定の距離を維持するように構成可能である。
【００１２】
本発明の特定の実施態様は、ユーザが楽器を演奏している間、常にユーザの前腕は鍵盤の前縁から所定の距離で維持されるという利点を有する。装置は、ユーザが、鍵盤の前縁から前腕までの距離が所定の距離から実質的に変化するリスクを冒すことなく、前腕を鍵盤の上下へと、スライド部材に沿って、自由に移動させることを可能にする。
【００１３】
本発明者は、演奏中に鍵盤から演奏者の腕までの距離を実質的に一定に維持することの重要性を認識した。本発明は、ユーザの一方または両方の腕が鍵盤に近づいたり遠ざかったりする側方運動の問題を克服するものである。このような運動は、鍵盤楽器の演奏する際の技術向上において、概して不利益である。
【００１４】
本発明の実施態様は、演奏中、腕が鍵盤の上下を移動する間、ユーザが一方または両方の腕を鍵盤に対し略垂直に保持するのを可能にする。この特徴は、演奏中にユーザが腕を鍵盤の前縁から実質的に一定の距離に保持するのを可能にする特徴と共に、ユーザが音階やアルペジオを演奏する際の正確な鍵盤技術をより迅速且つ効果的に向上させることを可能にする。
【００１５】
ユーザの前腕を鍵盤の前縁から実質的に一定の距離で鍵盤に対し実質的に垂直な方向に保持することにより、ユーザの親指は鍵盤全面に渡り鍵盤の前縁から実質的に一定の距離で鍵盤の上下を移動するよう構成されることができる。ユーザの前腕を鍵盤に対して実質的に垂直に保持することにより、ユーザの手が垂直軸線の回りを回転するのを実質的に防ぎ、これによりユーザの小指は鍵盤上に過剰に置かれることはない。このように、本発明の実施態様は、鍵盤練習技術における悪習慣の習得を回避し、または予防するという点でユーザを補助する。
【００１６】
本発明の実施態様は、ユーザが鍵盤楽器で音階やアルペジオを演奏する技術を上達させるのに具体的に有益である。
【００１７】
好ましくは、装置は、支持部材がスライド部材に沿って鍵盤に対して実質的に一定の垂直高さで相互にスライド可能となるよう構成可能である。
【００１８】
代替的または追加的に、装置は、支持部材がスライド部材に沿って略湾曲した経路で相互にスライド可能となるよう構成可能である。
【００１９】
好ましくは、装置は、支持部材がスライド部材に沿って鍵盤の前縁から実質的に一定の側方距離で相互にスライド可能となるよう構成可能である。
【００２０】
好ましくは、支持部材はスライド部材に取り外し可能に取り付けられている。
【００２１】
好ましくは、支持部材は迅速解除機構によってスライド部材に取り外し可能に取り付けられている。
【００２２】
この特徴により、支持部材を異なるサイズおよび形状の支持部材に置換することが可能となり、支持部材または他の部材の代替的構造を上記の支持部材の代替とする、またはこれに追加して設けることが可能となる。
【００２３】
好ましくは、支持部材は、スライド部材に沿ってスライド可能な搬送部材によってスライド部材に取り付けられている。
【００２４】
好ましくは、支持部材は搬送部材に取り外し可能に取り付けられている。
【００２５】
より好ましくは、支持部材は迅速解除機構によって搬送部材に取り外し可能に取り付けられている。
【００２６】
搬送部材は、支持部材が鍵盤のキーに対して動くことを可能にする便宜的手段を提供する。
【００２７】
好ましくは、スライド部材は少なくとも１個のトラック部材を具え、搬送部材はトラック部材に連結するよう構成されている。
【００２８】
好ましくは、支持部材は、装置が鍵盤楽器に取り付けられることを可能にするよう構成されており、これにより鍵盤と並列位置にあるスライド部材を支持する。
【００２９】
好ましくは、支持部材は装置が楽器に取り外し可能に取り付けられることを可能にする。
【００３０】
この特徴は、使用する必要がないときに、装置を楽器から取り外すことが可能であるという利点を有する。
【００３１】
好ましくは、装置は鍵盤楽器に立てかけるよう配置され、これにより実質的に直立方向に支持される。
【００３２】
代替的または追加的に、サポート手段は装置が自立構成で配置されることを可能にするよう構成されている。
【００３３】
好ましくは、スライド部材の鍵盤からの側方距離は調整可能である。
【００３４】
好ましくは、スライド部材の鍵盤からの側方距離はねじ機構によって調整可能である。
【００３５】
好ましくは、鍵盤に対する前記スライド部材の垂直高さは、好ましくはねじ機構によって、調整可能である。
【００３６】
好ましくは、支持部材は、スライド部材に対して、軸線、好ましくは垂直軸線の回りを回転可能となるよう構成されている。
【００３７】
この特徴は、スライド部材が回転することにより、定位置に座っている状態でユーザが鍵盤に沿って腕を移動させる際に、ユーザの腕の回転の少量を吸収することができるという利点を有する。
【００３８】
本発明の第二の態様では、
鍵盤楽器の演奏者の上達を補助するのに適した鍵盤練習装置であって、
基部部材と、
通常演奏の間の方向に実質的に対応する方向に腕を向けてユーザが座っている際に、ユーザの前腕を支持するための手段を有する支持部材と、
回転装置であって、前記支持部材に連結したユーザの前腕の手首が、垂直面内で略円形または楕円形の並進運動を描くのを可能にするよう構成された回転装置を具える装置を提供する。
【００３９】
装置は、さらに支持部材を円形または楕円形並進運動の一周期にわたって略直立方向に保持するよう構成されていることができる。
【００４０】
好ましくは、回転装置は平行リンク機構を具える。
【００４１】
好ましくは、平行リンク機構のうち少なくとも１個のリンクは回転可能なディスク要素の形態で提供されている。
【００４２】
好ましくは、平行リンク機構の略平行な一対のリンクは、対応する一対の互いに離間した回転可能なディスク要素によって提供されており、ディスク要素は互いに平行な軸線の回りを回転可能となるよう構成されている。
【００４３】
好ましくは、ディスク要素は基部部材と回転可能に連結している。
【００４４】
ディスク要素は旋回部材と回転可能に連結しており、旋回部材は基部部材に対して、正常使用のために配向された装置の略垂直軸線の回りを回転可能となるよう構成されている。
【００４５】
好ましくは、本発明の第一または第二の態様に従う支持部材は、ユーザの腕用の快適なレストを提供するよう構成された略Ｕ字型部材の形態である。
【００４６】
略Ｕ字型部材は本発明の実施態様に従う支持部材として特に便利で快適な形状であることが分かる。ユーザの腕は、容易にＵ字型部材の内側に配置し、且つ同様に離脱することができる。
【００４７】
さらに、Ｕ字型部材は、ユーザがスライド部材に沿って前腕を平行移動させる際に、その上昇部上に横力がかかることを可能にするよう構成されることができる。これにより、搬送部材を、ユーザの前腕の下面と搬送部材との間の摩擦力に頼ることなく、より快適な方法で移動させることが可能となる。
【００４８】
支持部材は、ユーザの腕の下方またはユーザの腕の一方の側面もしくは両側面のいずれかより選択される少なくとも１箇所に配置されるよう構成されている少なくとも１個のパッド部を具えることができる。
【００４９】
この特徴は、演奏中に装置のユーザが享受する快適度が向上するという利点を有する。
【００５０】
好ましくは、支持部材に対するパッド部材の位置は、垂直面および／または水平面で調整することができる。
【００５１】
好ましくは、支持部材は、軸線、好ましくは実質的に垂直軸線の回りを回転可能である。
【００５２】
装置は２個の支持部材を具えることができる。装置は２個より多い支持部材を具えることができる。
【００５３】
２個の支持部材を有するいくつかの実施態様において、２個の支持部材は、一方の支持部材のスライド部材に沿ったスライド動作が、他方の支持部材のスライド部材に沿ったスライド動作をもたらすよう、互いに連結していることができる。支持部材は互いに弾性的に連結していることができる。好ましくは、支持部材は互いに剛体的に連結している。
支持部材どうしがユーザの必要に応じて部材間においてそれぞれ異なる距離を有しながら互いに連結するのを可能にするよう構成されており、随意的に、支持部材どうしは、３度、４度、５度、６度、７度および８度の音程のうちから選択された少なくとも一つに対応する所定の距離だけ互いから離れた状態で互いに連結される。
【００５４】
装置は、ユーザの対応する腕を支持部材上に載置している際、ユーザの手を支持するよう構成されたハンドレスト部材をさらに具えることができる。
【００５５】
これは、模範的方法の形状に手を維持しながら鍵盤を演奏するようユーザに促すことができるという利点を有する。
【００５６】
好ましくは、ハンドレスト部材は支持部材と接続している。
【００５７】
好ましくは、ハンドレスト部材は支持部材と取り外し可能に接続しており、より好ましくは、迅速解除機構によって接続している。
【００５８】
ここでいう迅速解除機構には、スナップロック機構、ラッチ機構または他の任意の適した迅速解除機構を含む。
【００５９】
これにより、ハンドレスト部材を使わずに装置を使用するのが望ましい場合に、ハンドレスト部材の取り外しが可能となる。さらに、ハンドレスト部材は、異なる形状サイズを有するハンドレスト部材によって代替することができる。
【００６０】
好ましくは、ハンドレスト部材は、ブーム要素であってその第１端において前記支持部材に接続しているブーム要素と、ブーム要素の第２端においてサポート要素と接続しているパッド部材であって、ユーザの手と接触することにより手を支持するよう構成されているパッド部材とを具える。
【００６１】
好ましくは、パッド部材は、ユーザの掌を支持するよう成形かつ構成されている。
【００６２】
これにより、快適且つ便利なユーザの手のサポートを提供する。
【００６３】
本発明の第一の態様に従う装置は、支持部材に連結したユーザの前腕の手首が、スライド部材に対して平行な垂直面にて略円形または楕円形並進運動を描くのを可能にするよう構成された回転装置をさらに具える。
【００６４】
好ましくは、回転装置は、さらに前記支持部材を円形または楕円形並進運動の一周期にわたって略直立方向に保持するよう構成されている。
【００６５】
回転装置は平行リンク機構を具えることができる。
【００６６】
好ましくは、平行リンク機構のうち少なくとも１個は回転可能なディスク要素の形態で提供されている。
【００６７】
好ましくは、平行リンク機構の略平行な一対のリンクは対応する一対の互いに離間した回転可能なディスク要素によって提供されており、ディスク要素は互いに平行な軸線の回りを回転可能となるよう構成されている。
【００６８】
好ましくは、ディスク要素は搬送部材と回転可能に連結している。
【００６９】
代替的に、ディスク要素は旋回部材と回転可能に連結しており、旋回部材は搬送部材に対して、正常使用のために配向された装置の略垂直軸線の回りを回転可能となるよう構成されている。
【００７０】
好ましくは、支持部材にはストラップ部材が設けられ、ストラップ部材は、ユーザの腕を支持部材に固定し、これによりユーザの腕が前記支持部材から不用意に脱落することを防ぐよう構成されている。
【００７１】
本発明の第三の態様において、
鍵盤楽器に対し並列位置にある装置を支持するための手段と、
通常演奏の間の方向に実質的に対応する方向で鍵盤に対し手を並列位置にして、鍵盤の前に座っているユーザの手を支持するよう構成された支持部材であって、基部部材とレスト部を有する支持部材とを具える鍵盤練習装置であって、
レスト部はユーザの手の少なくとも一部に当接するよう構成されており、レスト部は基部部材に移動可能に連結しており、これによりレスト部が基部に対して並進運動および回転運動を描くのを可能にする装置を提供する。
【００７２】
この装置は、垂直面内で対応する円形または楕円形並進運動を描くよう、ユーザが手首を鍵盤に対して移動させるのを可能にするという利点を有する。これは、正確な鍵盤技術の習得においてユーザを補助するのに役立つ。
【００７３】
好ましくは、支持部材の方向は垂直面に対して調整可能である。
【００７４】
好ましくは、垂直面に対する基部部材の方向は調整可能である。
【００７５】
好ましくは、基部部材は、鍵盤の前縁に対して実質的に平行である軸線の回りを旋回することができる。
【００７６】
好ましくは、装置は、レスト部が実質的に閉止した経路を描くことを可能にするよう作動可能である。
【００７７】
より好ましくは、装置は、レスト部が実質的に湾曲した経路を描くことを可能にするよう作動可能である。
【００７８】
この経路は、円、ひずみ円、楕円、ひずみ楕円、または他の任意の経路であることができる。この経路は、少なくとも実質的な直線部を含むことができる。
【００７９】
レスト部は、基部部材に対して固定された軸線の回りを回転可能な回転部材であって、回転部材はこれに連結したパッド部材を有し、パッド部材はユーザの手に当接するよう構成されており、パッド部材は基部に対し並進および円形運動を描くよう構成されている。
【００８０】
レスト部は、回転軸を有するスピンドルと、回転軸の正常な方向への前記回転軸から変位した位置にある前記スピンドルに連結したパッド部材とを具える。
【００８１】
回転部材が回りを回転可能な前記軸は、好ましくは前記鍵盤の前端に対して平行な軸線の回りに傾斜可能である。
【００８２】
好ましくは、基部部材はドーム部を具える。
【００８３】
好ましくは、レスト部は基部部材のドーム部に対してスライド可能に移動可能なレスト部材を具える。
【００８４】
レスト部材はドーム部に対してスライド可能に移動可能であり、これにより基部部材のドーム部の回りに上下左右の動作を実行する。レスト部材は、さらに基部部材のドーム部に対してヨー動作を実行するよう移動可能である。
【００８５】
好ましくは、レスト部材は、基部部材のドーム部を覆いつつ接触しながらスライド可能に移動可能である。
【００８６】
レスト部材は、リム部を有するスカート部を有する逆カップ状部材を具え、リム部は基部部材のドーム部を覆いつつ接触しながらスライド可能に移動可能となるよう構成されている。
【００８７】
レスト部材は基部部材と連結していることができる。
【００８８】
レスト部材は基部部材と弾性的に連結していることができる。
【００８９】
レスト部材は基部部材と磁性的に連結している。
【００９０】
好ましくは、レスト部材は、ユーザの掌と当接するよう構成されたドーム部を具える。
【００９１】
装置は、好ましくは、スライド部材と、スライド部材にスライド可能に連結している支持部材と、支持部材をスライド部材の長さの一部に沿ってスライドさせることにより、ユーザが鍵盤の長さに沿って手を移動させるのを可能にするよう操作可能である。
【００９２】
好ましくは、装置は、ユーザの前腕が鍵盤の前縁から略一定の距離を維持するよう、支持部材をスライド部材に沿って実質的に直線の経路で相互にスライド可能となるよう構成可能である。
【００９３】
この特徴は、ユーザの親指も実質的に直線の経路で鍵盤の前縁から実質的に一定の距離で移動するように制約可能であるという利点を有する。
【００９４】
より好ましくは、装置は、支持部材がスライド部材に沿って鍵盤に対して実質的に一定の垂直高さで相互にスライド可能となるよう構成可能である。
【００９５】
好ましくは、装置は、支持部材がスライド部材に沿って略湾曲した経路で相互にスライド可能となるよう構成可能である。
【００９６】
装置は、さらに、支持部材がスライド部材に沿って鍵盤の前縁から実質的に一定の横方向距離で相互にスライド可能となるよう構成可能である。
【００９７】
好ましくは、支持部材はスライド部材に取り外し可能に取り付けることが可能である。
【００９８】
好ましくは、支持部材を迅速解除機構によってスライド部材に取り外し可能に取り付けることが可能である。
【００９９】
好ましくは、支持部材をスライド部材に沿ってスライド可能な搬送部材によってスライド部材に取り付けることが可能である。
【０１００】
好ましくは、支持部材を搬送部材に取り外し可能に取り付けることが可能である。
【０１０１】
支持部材を迅速解除機構によって搬送部材に取り外し可能に取り付けることが可能である。
【０１０２】
スライド部材は少なくとも１個のトラック部材を具え、搬送部材はトラック部材に連結するよう構成されている。
【０１０３】
支持部材は、装置が鍵盤楽器に取り付けられることを可能にするよう構成されており、これにより鍵盤と並列位置にあるスライド部材を支持する。
【０１０４】
好ましくは、支持部材は装置が楽器に取り外し可能に取り付けられることを可能にするよう構成されている。
【０１０５】
支持部材は少なくとも１個の脚部材を具え、装置は鍵盤楽器に立てかけるよう配置され、これにより装置が実質的に直立方向に支持される。
【０１０６】
サポート手段は装置が自立構成で配置されることを可能にするよう構成されている。
【０１０７】
装置は、好ましくは、スライド部材の鍵盤からの側方距離が調整可能となるよう構成されている。
【０１０８】
スライド部材の鍵盤からの側方距離はねじ機構によって調整可能である。
【０１０９】
鍵盤に対するスライド部材の垂直高さは、好ましくはねじ機構によって、調整可能である。
【０１１０】
支持部材は、スライド部材に対して、軸線、好ましくは垂直軸線の回りを回転可能となるよう構成されている。
【０１１１】
支持部材は、好ましくは、スライド部材から実質的に固定距離で離間している支持部材を保持するよう構成されたアーム部材によってスライド部材にスライド可能に連結している。
【０１１２】
アーム部材は、好ましくは、スライド部材から離間して突出するよう構成されている。
【０１１３】
好ましくは、アーム部材は、実質的にはスライド部材に垂直な方向に、スライド部材から離間して突出するよう構成されている。
【０１１４】
アーム部材は、装置を使用中のユーザから離間した方向に、スライド部材から離間して突出するよう構成されていることができる。
【０１１５】
好ましくは、レスト部はユーザの手により移動可能であり、これにより前記の実質的に並進および円形運動を描く。
【０１１６】
代替的または追加的に、レスト部はモーターにより移動可能であり、これにより前記の実質的に並進および円形運動を描く。
【０１１７】
好ましくは、レスト部を実質的に並進および円形運動の所定の経路に誘導するためのガイド手段が設けられている。
【０１１８】
好ましくは、レスト部を移動させるために必要な力量は調整可能である。
【０１１９】
本発明の第４の態様において、先行する請求項のいずれか一項に記載の装置を具える楽器を提供する。
【０１２０】
好ましくは、少なくともスライド部材が、不要時に収納されるよう構成可能である。
【０１２１】
好ましくは、スライド部材が、楽器の内部、下部または上部に格納されることにより収納可能である。
【０１２２】
代替的または追加的に、スライド部材が、楽器の内部、下部または上部に折り畳まれることにより収納可能である。
【０１２３】
好ましくは、実質的に装置全体が収納可能である。
【０１２４】
代替的または追加的に、装置が楽器と一体化して設けられていることができる。
【０１２５】
これより本発明の実施態様を、添付の図を参照しながら説明する。
【図面の簡単な説明】
【０１２６】
【図１】本発明の第１の実施態様の鍵盤練習装置の概略図である。
【図２】第１の実施態様の支持部材の説明図である。
【図３】第１の実施態様の支持部材のさらなる説明図である。
【図４】第１の実施態様の支持部材の説明図である。
【図５】ユーザの腕が鍵盤の下端に位置した状態の、装置の平面概略図である。
【図６】ユーザの腕が鍵盤に位置し、腕が鍵盤に対し略直角である状態の、装置の平面概略図である。
【図７】ユーザの腕が鍵盤の上端に位置した状態の、装置の平面概略図である。
【図８】ユーザの腕が上昇位置にある状態の、装置の平面概略図である。
【図９】クランプ機構の斜視図である。
【図１０】図９のクランプ機構のさらなる説明図である。
【図１１】本発明のさらなる実施態様に従う装置を示す。
【図１２】本発明のさらなる実施態様に従う装置を示す。
【図１３】回転装置を有する、本発明のさらなる実施態様に従う装置を示す。
【図１４】回転装置を有する、本発明のさらなる実施態様に従う装置を示す。
【図１５】鍵盤楽器に立てかけるよう配置され、これにより実質的に直立方向に支持されるよう構成された、本発明のさらなる実施態様に従う装置を示す。
【図１６】鍵盤楽器に立てかけるよう配置され、これにより実質的に直立方向に支持されるよう構成された、本発明のさらなる実施態様に従う装置を示す。
【図１７】鍵盤楽器に立てかけるよう配置され、これにより実質的に直立方向に支持されるよう構成された、本発明のさらなる実施態様に従う装置を示す。
【図１８】鍵盤楽器に立てかけるよう配置され、これにより実質的に直立方向に支持されるよう構成された、本発明のさらなる実施態様に従う装置を示す。
【図１９】図１５〜１８の装置の支持部材を示す。
【図２０】図１５〜１８の装置の支持部材を示す。
【図２１】図１５〜１８の装置の支持部材を示す。
【図２２】図１５〜１８の装置の支持部材を示す。
【図２３】折り畳み構造における、図１５〜１８のいずれか１個の装置を示す。
【図２４】本発明のさらなる実施態様に従う装置を示す。
【図２５】（ａ）ハンドレスト部が中央またはニュートラル位置にある状態の側面図と、（ｂ）手が傾斜位置にある状態の側面図と、（ｃ）ハンドレスト部が中央またはニュートラル位置にある状態の断面図と、（ｄ）手が傾斜位置にある状態の断面図とを示す、図２４の実施態様の支持部材を示す。
【図２６】本発明のさらなる実施態様に従う装置を示す。
【図２７】図１５の実施態様に従う装置を使用中の演奏者を示す。
【図２８】（ａ）補助なしで不正確な技術を用いて演奏中の演奏者、および（ｂ）図１５の実施態様の装置を使用して正しい技術を用いて演奏する演奏者を示す。
【発明を実施するための形態】
【０１２７】
本発明の第１の実施態様において、全体として図１の１００に示す鍵盤練習装置を提供する。
【０１２８】
装置１００には、レールの形態のスライド部材１１０が設けられている。また、装置には、レールにスライド可能に連結され、これに沿って移動可能な支持部材１３０が設けられている。支持部材には、装置を使用する人の前腕を支持するよう配置されたクッション付きのＵ字状レスト部材が設けられている。
【０１２９】
支持部材１３０は、装置の使用方向に関して略垂直な軸の回りを回転可能である。
【０１３０】
装置は、スライド部材の各端にクランプ機構１２０を有する。クランプ機構１２０は、スライド部材１１０を鍵盤楽器１９０に取り付けることができるように配置される。クランプ機構は、楽器の一部及びスライド部材１１０の一端を把持し、これによってスライド部材を、楽器１９０の鍵盤１９２から固定された距離に支持できるように構成される。
【０１３１】
支持部材１３０には、スライド部材１１０に接触し、これに沿ってスライド可能な搬送部材１３２が設けられている。旋回要素１３４は、支持部材１１０のレスト部材６を搬送部材１３２に接続する。
【０１３２】
レスト部材１３６は、装置のユーザの前腕１８０の外面の大きさに略対応する大きさである（例えば図４参照）。
【０１３３】
レスト部材１３６は、レスト部材に前腕１８０を載せたユーザが、単に前腕を前後に動かすだけで、スライド部材１１０に沿って支持部材１３０を前後に快適に動かすことができるように構成される。レスト部材１３０の立上り部は、前腕をレスト部材１３６に対して大きく動かす必要なしに、前腕で圧力を加えることのできる面を提供する。しかし、レスト部材１３６は、演奏中に前腕の筋肉の能力を過剰に妨げることのない形状である。
【０１３４】
図５〜７は、鍵盤１９２に対する演奏者の前腕１８０の３つの異なる位置を示す。前腕の３つの位置は、スライド部材１１０に対する支持部材１３０の３つの異なる回転位置にそれぞれ対応する。
【０１３５】
図５において、支持部材１３０は、ピアノの鍵盤１９２の下位位置、すなわち鍵盤１９２の中心より左側の位置に配置された状態で示されている。ユーザは鍵盤に対して実質的に中心に座っているので、ユーザの右前腕（図５では１８０として示されている）は、ユーザの前方で交差し、支持部材１３０の長手軸線をスライド部材１１０に対して角度θの方向に向ける。図５に示した例では、角度θは９０°未満である。
【０１３６】
図６は、ユーザの腕がスライド部材１１０に対して略直角に向いた（すなわちθ≒９０°）状態での、支持部材１３０の方向を示す。図６に示した例では、ユーザの体は、「中心Ｃ」に対応するキーに略対向して位置し、ユーザの手は、中心Ｃの概ね１オクターブ上の音階を演奏する位置にある。
【０１３７】
しかし、鍵盤の長手に沿った任意の位置に座ったユーザが装置を使用することができることは理解されるであろう。
【０１３８】
図７は、鍵盤１９２の上位位置、すなわちピアノ鍵盤の中心より右側の位置にあるレスト部材１３６の方向を示す。支持部材１３０の長手軸線は、スライド部材１１０に対して９０°超の角度θとなる。
【０１３９】
本発明の第１実施態様の装置は、ユーザの手及び前腕の動きの自由度を顕著に高める。図８において、ユーザが、演奏中に、手を自由に上げることができることが分かる。
【０１４０】
クランプ機構１２０の構造を図９により明確に示す。クランプ機構１２０は、支持アーム１２８によりスライド部材１１０に連結されたＧクランプ部１２２を有する。Ｇクランプ部材１２２は、回転可能なハンドル１２４により操作される第１把持部材１２３を有する。クランプ機構１２０の第１把持部材１２３は、ハンドル１２４の回転により動作し、鍵盤楽器の一部を、第１把持部材１２３と、Ｇクランプ部の、第１把持部材１２３と反対側の端にある第２把持部材１２５との間に挟む。
【０１４１】
また、第１把持部材１２３と第２把持部材１２５との間の距離を、第２把持部材１２５を第１把持部材１２３に近づけたり遠ざけたりすることにより変えることもできる。この特徴により、第１実施態様のスライド部材１１０の垂直位置を調整することができる。したがって、クランプ機構１２０により、スライド部材１１０の位置を調整して、鍵盤楽器の種々の形状に適合させることができる。
【０１４２】
支持アーム１２８を、フック部材１４０を用いてスライド部材１１０に接続する。フック部材１４０は、スライド部材１１０の下方に引っ掛かり、スライド部材１１０を支持アーム１２８に付勢するよう構成される。フック部材１１４０は、支持アーム１２８を貫通するねじ部（図示せず）を有する。相補的なねじ孔を有するハンドル１４２は、フック部材１４０のねじ部に取り付けられ、対応する方向にハンドルが回された際にスライド部材１１０を支持アーム１２８に付勢するよう操作可能である。
【０１４３】
各クランプ機構１２０のフック部材１４０は、支持アーム１２８の両側から支持アーム１２８を把持するよう操作可能である。
【０１４４】
フック部材の特徴により、装置の２つのクランプ機構１２０のそれぞれの各支持アーム１２８間の距離を変えることができる。各支持アーム１２８の間の距離は、フック部材１４０が配置される支持アーム１２８の側に決まるであろう。
【０１４５】
支持アーム１２８の、支持アーム１２８が把持される側を変えるために、ハンドル１４２を緩め、フックを１８０°の角度で回転させる。
【０１４６】
本発明のいくつかの実施態様では、異なる型のクランプ機構を用いる。本発明のいくつかの実施態様では、自立するように支持部材１１０を支持するよう装置が配置される。すなわち、スライド部材１１０を鍵盤１９２に並列に配置するために、装置を鍵盤楽器１９０に取り付ける必要がない。
【０１４７】
多様な異なるクランプ機構を本発明の種々の実施態様に用いることができることは理解されよう。異なるクランプ機構を、アップライトピアノ、グランドピアノ等の、装置を用いる楽器の形状に応じて、提供することができる。いくつかの実施態様において、クランプ機構はアップライトピアノまたはグランドピアノに好適である。本発明の実施態様は電子ピアノに使用可能である。本発明の実施態様は１つ以上の鍵盤を有するオルガンに使用可能である。
【０１４８】
第２の実施態様の装置には、図１１に示すとおり、ハンドレスト２００が設けられている。第２の実施態様において、ハンドレスト２００は略剛体連結によって支持部材１３０に取り外し可能に連結している。このように、ハンドレスト２００は支持部材１３０に連結しているため、支持部材１３０が移動すると、並進または回転のいずれかによって、ハンドレスト２００も対応する方法で移動する。
【０１４９】
第２の実施態様において、ハンドレストは、直接支持部材１３０に連結し、且つそこから支持部材１３０の縦軸１３９に沿って突出しているブーム部材２１０によって支持部材１３０に連結している。ハンドレスト部材２００のプラットフォーム部材２２０には、プラットフォーム部材２２０のリヤ部２２１から離れて突出するシャフト部材２２２が設けられている。シャフト部材２２２は、カラー部材２１２によって、支持部材１３０遠位のブーム部材２１０の一端に連結し、シャフト部材２２２はカラー内部でスライド可能であり、ねじ固定によって必要な位置に固定されるよう配列されている。
【０１５０】
ブーム部材２１０は、支持部材１３０に剛体連結しているシース部材２１４内部でスライド可能である。このように、プラットフォーム部材２２０と支持部材１３０との間の距離はブームを支持部材１３０に向かう方向あるいは離れる方法へとスライドさせることにより調整可能である。ブーム部材２１０はさらなるねじ固定によって必要な位置に固定することができる。
【０１５１】
プラットフォーム部材２２０の位置は、個々のユーザの体格に合わせるため水平および垂直方向の両方において調整可能である。
【０１５２】
本発明のいくつかの実施態様において、カラー部材２１２に対するシャフト部材２２２の位置および／またはシース部材２１４に対するブーム部材２１０の位置の調整は、ねじ固定具、スナップ式固定具または他の任意の適切な固定具等の迅速解除固定具を含む種々の異なる手段によって、ならびに／またはシャフト部材２２２および／もしくはブーム部材２１０にねじ付面を設け、それぞれカラー部材および／もしくはシース部材内に対応するねじ孔を設けることによって、行うことができる。いくつかの実施態様において、ハンドレストの位置を支持部材１３０に対して恒久的に固定する。いくつかの実施態様において、ハンドレスト２００を支持部材１３０に恒久的に固定する。
【０１５３】
図１３に示す本発明のさらなる実施態様において、支持部材１３０は、搬送部材１３２に対して、レスト部材の長手軸線１３９に平行な軸線の回りを円形運動または楕円運動するよう操作可能である。円形運動は、演奏者が鍵盤楽器を演奏する間の模範的な手首の動きを練習する際に特に役立つ。
【０１５４】
図１３の実施態様において、支持部材１３０には、旋回プレート２４０に接続されたリンク部材２１０が設けられ、この旋回プレート２４０は旋回要素２４５により搬送部材１３２に回転可能に連結される。リンク部材２１０は、一対の回転可能なディスク要素２２０により旋回プレート２４０に連結される。ディスク要素２２０は、旋回プレート２４０に固定され、搬送部材１３２に対して離間した関係である。ディスク要素２２０の回転軸線２２２は、支持部材１３０の長手軸線１３９に略垂直に配置される。リンク部材２１０はディスク要素２２０のそれぞれに回転可能に連結されることは理解されよう。
【０１５５】
リンク部材２１０は、ディスク要素２２０のそれぞれの対応する半径方向位置とは反対側でリンク部材２１０のそれぞれの端部に連結される。
【０１５６】
本発明のいくつかの実施態様において、２つ以上のディスク要素が、それぞれの回転軸線２２２に沿って設けられており、支持部材１３０のさらなる支持を提供する。
【０１５７】
支持部材１３０には、演奏者の腕全体に適合し、それによって演奏者の腕をレスト部材に固定するよう配置されたストラップ要素２３０が設けられる。
【０１５８】
演奏者の腕が支持部材１３０に固定されるので、装置は、演奏者が腕を動かして略円形の動作をしようとすると、腕が所定の円形運動を行うように演奏者を補助するように動作可能である。
【０１５９】
本発明のいくつかの実施態様において、装置３００は、机等の表面に配置するのに好適な基部３４０（図１４）に対して円形運動するよう構成された支持部材３３０を有する。このような装置は、ユーザがキーボードなしに腕の回転運動の練習を繰り返すことを可能とするように動作可能である。
【０１６０】
図１３の実施態様の場合のように、装置は、回転軸線３２２の回りを回転可能な一対の円形ディスク要素３２０を有しており、これらディスク要素は、軸線３２２が基部３４０に対して離間するように配置される。リンク部材３１０が、それぞれのディスク要素２３０の対応する半径方向位置とは反対側の一対の端部のそれぞれに、回転可能に接続される。
【０１６１】
使用時には、ユーザは、一方の腕をストラップ部材２３０により支持部材３３０に連結し、これによって、ユーザは、模範的な鍵盤技術に関連付けられた、必要とされる、所定の回転運動の練習を楽しむことができる。
【０１６２】
装置３３０には、第２実施態様のところで説明したようなハンドレストが設けられる。
【０１６３】
さらに、図１３の実施態様による装置は、第１および第２の実施態様のものと交換可能な部品から形成できることは理解されよう。
【０１６４】
いくつかの実施態様において、第１実施態様の支持部材を取り付けることのできる基部３４０が設けられる。本発明の実施態様による装置の部品を広範に組み合わせることができることは理解されよう。
【０１６５】
本発明のいくつかの実施態様において、一対のレスト部材を設け、ユーザの両腕を同時に練習することができることは理解されよう。いくつかの実施態様において、一対の列と部材を共通の基部に設ける。
【０１６６】
図１５〜１８は、図１の実施態様のように鍵盤に取り付けてこれを支持する代わりに、鍵盤に立てかけることにより鍵盤を支持するよう配置された、本発明の実施態様を示す。
【０１６７】
装置４００はスライド部材４１０を有し、スライド部材４１０はその両端を一対の脚部４０１により支持される。また、アーム４０２がスライド部材４１０の両端に設けられており、アーム４０２は、ピアノの譜面台（candleboard）等の鍵盤楽器の一部に載置されるよう配置される。いくつかの実施態様において、バッファ部材４０３をアーム４０２の下側に設けて、鍵盤楽器の損傷を防ぐ。いくつかの実施態様において、吸着カップをアーム４０２の下側に設けて、装置４００を鍵盤楽器に連結可能とし、アーム４０２と楽器との間の望ましくない動きを防止する。
【０１６８】
図１５の実施態様において、楽器の鍵盤の前端からスライド部材４１０までの距離は、各アーム４０２に設けた回転ハンドル４０６（図１６）により調整することができる。ハンドル４０６は、通常の使用時には、ピストン４０５を略水平な方向でスライド部材４１０に近づけたり遠ざけたりするように動作可能である。ピストン４０５は、楽器の鍵盤の前端に当接するように配置されており、これによって装置を楽器に対して支持する。
【０１６９】
搬送部材４３２が、スライド部材４１０の軌道に沿ってスライド可能に配置されている（例えば図２１、２２を参照）。
【０１７０】
支持部材４３０（図１９〜２２）は、例えば接着剤により、または１つ以上の機械的固定具により連結された剛性基部４３１およびパッド部材４３１Ａを有する。パッド部材４３１は、ユーザの前腕が例えば摩擦によりパッド部材４３１Ａを捉えることができるように配置される。また、ストラップ部材を設けて、前腕を支持部材４３０に連結することもできる。
【０１７１】
いくつかの実施態様において、装置４００は、保管または輸送のために、比較的平坦な構造へと折り畳まれるよう構成される。図２３は、適当なケースまたは「フラットパック」容器に収納されるのに適した平坦な構造へと折り畳まれた図１５の実施態様を示す。
【０１７２】
図２７は、本発明の実施態様による装置を用いて音階を上げて演奏した際の、ユーザの手と前腕の位置を示す。図では、ユーザの前腕４９８は、鍵盤４０１の前端４０１Ｅに実質的に垂直であり、支持部材４３０に載置して見える。親指と４本の指がそれぞれ鍵盤４０１に置かれた方向で、手４９９が図示されている。
【０１７３】
図２７（ａ）に示された位置から図２７（ｂ）に示された位置まで、ユーザが前腕４９８を体から離れるように動かすと、支持部材４３０はスライド部材４１０に沿って動かされる。しかし、ユーザは、図２７（ｂ）に示すように、鍵盤４０１の前端４０１Ｅに実質的に垂直に前腕を維持することができる。
【０１７４】
図２８（ａ）は、本発明の実施態様の装置を用いていない鍵盤演奏者を示す。固定されていない前腕は、鍵盤の前端４０１Ｅに対して鋭角である。鍵盤に届かせるために親指を伸ばす必要があるので、この位置では、鍵盤の演奏は少なくとも部分的により難しくなる。実際、このような位置では、親指を鍵盤に届かせることができないかもしれない。
【０１７５】
図２８（ｂ）は、図１〜１５の実施態様に従う装置を用いた同一の演奏者を示しており、鍵盤の前端４０１Ｅから前腕までの距離は実質的に固定されているので、ユーザが鍵盤４０１の前端に実質的に垂直な方向に前腕を維持することがより簡単となる。
【０１７６】
図２４は、装置５００が、図１５および１６の実施態様と同じように、鍵盤５０１と並列に支持されるよう配置されたスライド部材５１０を有する、本発明の一実施態様を示す。図２４の装置５００は、支持部材４３０に替えて搬送部材５３２に連結された支持アーム５６０を有するという点を除いて、図１５のものと同様である。
【０１７７】
支持アーム５６０は、ハンドレスト装置５７０を鍵盤の前端に並列な位置で支持するよう配置される。
【０１７８】
ハンドレスト装置５７０は、ハンドレストパッド部材５８０を支持するよう配置されたハンドレスト基部部材５７１を有する。ハンドレストベース部材５７１は、ドーム面５７２を有する。いくつかの実施態様において、ドーム面５７２は、実質的に球の一部の形状である。いくつかの実施態様において、ドーム面５７２は、実質的に変形した球の一部の形状である。
【０１７９】
ハンドレストパッド部材５８０は、逆カップ状部材５８２（図２５）の形状であり、逆カップ状部材５８２は、その回りに設けられた実質的に円筒形のスカート部５８３を有し、スカート部５８３は、逆カップ状部材５８２とドーム面５７２との間の接触面を画定するリム５８４を有する。また、実質的に剛体の連結要素を含む他の連結要素も有用である。これに替えて、またはこれに加えて、磁気連結を用いることもできる。
【０１８０】
ハンドレスト装置を、使用時には図２４に実質的に示すように向くように構成し、ユーザが、掌または手の下側の他の部分あるいは手首をハンドレストパッド部材５８０上に置き、カップ状部材５８２をドーム面上に動かすことを理解すべきである。図２４の実施態様は、ドーム面上でのカップ状部材５８２の動きを実質的に任意の方向にすることができる。したがって、ドーム面に対するカップ状部材５８２のヨー、ピッチまたはロール動作を行うことができる。
【０１８１】
有利には、カップ状部材５８２が、ドーム面５７２の上で実質的に円形または楕円形の経路を描くように構成する。この動きを、ユーザの手首が、鍵盤の前端に平行な実質的に垂直面内で実質的に円形または楕円形の動きを描くように行うことができる。このような動きは、ユーザの鍵盤技術の一部としての柔軟な手首の開発および維持に有用である。
【０１８２】
いくつかの実施態様において、ハンドレストパッド部材５８０に、図２４および２５に示すような粗面５８６を設け、ユーザがパッド部材５８０を捉えやすくする。粗面を、カップ状部材５８２に対して、例えばカップ状部材５８２の円筒軸線の回りに回転可能な部材上に設けることができる。
【０１８３】
装置の使用中にユーザが汗ばみ、ユーザの手の下側がパッド部材５８０の上で滑る可能性があるので、粗面の特徴は有用たり得る。
【０１８４】
図２４の実施態様において、ハンドレスト基部部材５７１は、装置５００の支持アーム５６０にヒンジ連結されるよう配置される。ハンドレスト基部部材５７１は、鍵盤の前端に平行に配置されており、通常の使用に構成された装置に実質的に水平な軸線５７０Ａの回りに旋回可能であり、指ねじ機構５９０を用いてユーザの必要に応じて垂直面に対する角度の範囲の一つで固定される。これにより、ねじを締めて、ハンドレスト基部部材５７１を所要の角度に固定することができる。いくつかの実施態様において、支持アーム５６０に対する基部部材５７１の角度を指数化する。典型的には、基部部材５７１の角度を垂直面に対して実質的に４５°とすることが、通常の使用時には好ましい。他の角度、例えば実質的に４０〜５０°、３０〜６０°または２０〜８０°の範囲も有用である。
【０１８５】
いくつかの実施態様において、ハンドレスト基部部材５７１および／または支持アーム５６０は、装置の取り付けられる楽器の一部に対して立てかけられるよう配置される。このことは、サポートアーム５６０の機械的変形の合計を減らすことができるという点で有利である。他の構成も有用である。
【０１８６】
図１５〜２４の実施態様は、図１５の実施形態の支持部材４３０が図２４の実施形態の支持アーム５６０およびハンドレスト装置５７０の代わりとなることを理解すべきである。すなわち、部品は相互に交換可能であるので、一実施形態から他の実施形態に装置を変更可能である。同様の交換可能性を、図２６の実施態様（以下で説明する）の支持アーム６６０にも施すことができる。
【０１８７】
図２６は、本発明の一実施態様に従う装置６００を示しており、図１５および２４の実施態様と同様のトラック部材６１１を有するスライド部材６１０が鍵盤６０１の前端に平行に支持されている。装置６００は、スライド部材６１０および図１５および図２４の実施態様と同様の支持アーム部材６６０に沿って往復スライド可能な搬送部材６３２を有する。
【０１８８】
ハンドレスト装置６７０は、図１５および２４の実施態様の場合と同様に、通常の使用の向きでは、実質的に水平な軸線６７０Ａの回りを旋回可能な基部部材６７１を有する。すなわち、基部部材６７１は、装置を通常の使用時に配置すると、鍵盤の前端に平行に配置される水平軸線６７０Ａの回りで旋回可能である。基部部材６７１は、指ねじ機構６９０を用いて、ユーザの必要に応じて、垂直面に対する角度の範囲の一つで固定することができ、ねじを締めて、ハンドレスト基部部材６７１を所要の角度に固定することができる。
【０１８９】
ハンドレスト装置６７０には、基部部材６７１に回転可能に連結されたスピンドル部材６８５が設けられている。スピンドル部材６８５は、曲がり部６８６と、スピンドル部材６８５の自由端に設けられたハンドレストパッド部材６８０を有する。スピンドル部材の回転によって、パッド部材６８０が、スピンドル部材６８５の曲がり部６８６の存在により、平面内での回転並進運動を描くようになることを理解すべきである。したがって、パッド部材６８０は、スピンドル部材６８５の回転軸線から、スピンドル部材６８５の回転軸線に実質的に垂直な方向に移動した位置で支持される。
【０１９０】
図２６の実施態様では、ユーザの手が、図２４および２５の実施態様では可能であった種々の動きと同一の範囲を描くことはできない。図２４および２５の装置は、本発明の好適な実施態様である。
【０１９１】
本明細書の詳細な説明および特許請求の範囲を通して、「含む」および「具える」ならびに例えば「含んだ」および「具えた」等の活用語は、「を含むがこれに限定されない」の意であり、他の部分、不可物、部品、整数またはステップを除外することを意図するものではない（かつ、除外するものではない）。
【０１９２】
本明細書の詳細な説明および特許請求の範囲を通して、単数で表していても、文脈上必要がない限りは、複数も含むものである。特に、不定冠詞が用いられている場合には、文脈上必要がない限りは、複数および単数を意図するものと理解すべきである。本発明の具体的形態、実施態様または実施例との関係で説明した特性、整数、特徴、化合物、化学部または基は、両立しないのでなければ、ここで説明した任意の他の形態、実施態様または実施例に適用可能であることを理解すべきである。
【図１】
0005643646.tif 000002
【図２】
0005643646.tif 000003
【図３】
0005643646.tif 000004
【図４】
0005643646.tif 000005
【図５】
0005643646.tif 000006
【図６】
0005643646.tif 000007
【図７】
0005643646.tif 000008
【図８】
0005643646.tif 000009
【図９】
0005643646.tif 000010
【図１０】
0005643646.tif 000011
【図１１】
0005643646.tif 000012
【図１２】
0005643646.tif 000013
【図１３】
0005643646.tif 000014
【図１４】
0005643646.tif 000015
【図１５】
0005643646.tif 000016
【図１６】
0005643646.tif 000017
【図１７】
0005643646.tif 000018
【図１８】
0005643646.tif 000019
【図１９】
0005643646.tif 000020
【図２０】
0005643646.tif 000021
【図２１】
0005643646.tif 000022
【図２２】
0005643646.tif 000023
【図２３】
0005643646.tif 000024
【図２４】
0005643646.tif 000025
【図２５（ａ）】
0005643646.tif 000026
【図２５（ｂ）】
0005643646.tif 000027
【図２５（ｃ）】
0005643646.tif 000028
【図２５（ｄ）】
0005643646.tif 000029
【図２６】
0005643646.tif 000030
【図２７（ａ）】
0005643646.tif 000031
【図２７（ｂ）】
0005643646.tif 000032
【図２８（ａ）】
0005643646.tif 000033
【図２８（ｂ）】
0005643646.tif 000034